(57)【特許請求の範囲】
【請求項１】
練条機の出口とスピンドルとの間に配置されて加撚手段を有する糸ガイドユニットを備え、前記加撚手段が前記スピンドルの上方に離間配置されてスピンドルと磁力を介して連結された状態でスピンドルと同じ回転数で回転するとともに糸制動部材（１３、１３’）を有する、リング精紡機を用いた短繊維の精紡装置において、
前記スピンドル（３）の先端に設置されるスピンドルヘッドピース（３３）が、前記加撚手段（１０）の下流側に設置されて前記加撚手段（１０）から離れた加撚済みの糸（Ｆ）を捕捉して追従させる溝部分（３２、３５）を外周面に有していることを特徴とする精紡装置。
【請求項２】
前記スピンドルヘッドピース（３３）が、前記加撚手段（１０）に対して離間配置されて永久磁石（３１）を有した前端面（３４）を備え、
前記永久磁石が、前記加撚手段（１０）に配設された反対極の磁石と共に加撚手段（１０）を連動させる磁力場を形成していることを特徴とする請求項２に記載の精紡装置。
【請求項３】
前記スピンドルヘッドピース（３３）が、該スピンドルヘッドピース（３３）の前端面（３４）まで延びた溝部分（３２、３５）を有する円筒状の外周面を備えていることを特徴とする請求項１または請求項２に記載の精紡装置。
【請求項４】
前記加撚済みの糸（Ｆ）が、前記加撚手段（１０）からスピンドルヘッドピース（３３）の前端面（３４）に対して同心的に導出されるように設計されていることを特徴とする請求項１乃至請求項３のいずれかに記載の精紡装置。
【請求項５】
前記スピンドルヘッドピース（３３）の直径が、該スピンドルヘッドピース（３３）に後続するスピンドルの直径に等しく設定されていることを特徴とする請求項１乃至請求項４のいずれかに記載の精紡装置。
【請求項６】
前記スピンドルヘッドピース（３３）の直径が、該スピンドルヘッドピース（３３）に後続するスピンドルの直径に溝部分の深さを加えた長さで設定されていることを特徴とする請求項１乃至請求項５のいずれかに記載の精紡装置。
【請求項７】
前記溝部分（３２）の溝底が、前記スピンドルヘッドピース（３３）に後続するスピンドルの直径に移行するように設定されていることを特徴とする請求項１乃至請求項６のいずれかに記載の精紡装置。
【請求項８】
前記スピンドルヘッドピース（３３）が、該スピンドルヘッドピース（３３）に後続するスピンドルの直径を超えて突出して前記スピンドル（３）に対向する端部側に溝部分（３２）の終端を形成するつば（３５）を有していることを特徴とする請求項１乃至請求項５または請求項７のいずれかに記載の精紡装置。
【請求項９】
前記スピンドルヘッドピース（３３）が、前記糸ガイドユニット（１）に対向する端部側にスピンドルヘッドピース（３３）のシャフト部分の直径を上回るように設計されるとともに溝部分（３５）を有したクラウン（３６）を備えていることを特徴とする請求項１乃至請求項４または請求項７または請求項８のいずれかに記載の精紡装置。
【請求項１０】
前記溝部分（３２、３５）が、前記加撚済みの糸のフローの位置に適合する配向および長さに設定されていることを特徴とする請求項１乃至請求項９のいずれかに記載の精紡装置。
【請求項１１】
前記溝部分（３５）が、前記前端面（３４）および外周面により形成されるクラウン（３６）の縁部と角度αで交差していることを特徴とする請求項９または請求項１０に記載の精紡装置。
【請求項１２】
前記溝部分（３２、３５）が、多数形成されていることを特徴とする請求項１乃至請求項１１のいずれかに記載の精紡装置。
【請求項１３】
前記溝部分（３２、３５）が、前記加撚済みの糸の直径の約２倍に相当する溝幅を有していることを特徴とする請求項１乃至請求項１２のいずれかに記載の精紡装置。
【請求項１４】
前記溝部分（３２、３５）が、前記溝幅の二分の一に相当する深さを有していることを特徴とする請求項１乃至請求項１３のいずれかに記載の精紡装置。
【請求項１５】
短繊維の束が練条機で延伸された後に練条機の出口から導出される際に１本の糸に加撚されてリングトラベラーユニットにより巻き取られるリング精紡機において、前記練条機の出口から導出された繊維束（Ｆ’）が、スピンドルの上方に離間配置されて糸制動部材（１３、１３’）を有する加撚手段（１０）を備えた糸ガイドユニット（１）を通過する際に、前記加撚手段（１０）がスピンドルと磁力を介して連結された状態でスピンドルと同じ回転数で駆動することにより前記繊維束（Ｆ’）に撚りを加えた加撚済みの糸（Ｆ）が、前記加撚手段（１０）から離れるようにした短繊維の精紡方法であって、
前記加撚済みの糸（Ｆ）が、前記加撚手段（１０）から離れた直後にスピンドルヘッドピース（３３）を経てガイドされて前記リングトラベラーユニット（６、６２、６３）に達して巻き取られる前に、前記スピンドルヘッドピース（３３）の外周面に設けた溝部分（３２、３５）により捕捉されて追従することを特徴とする精紡方法。
【請求項１６】
前記加撚済みの糸（Ｆ）が、前記加撚手段（１０）の中心から導出されて前記加撚手段（１０）と同軸配置されたスピンドルヘッドピース（３３）の溝部分（３２）に供給されることを特徴とする請求項１５に記載の精紡方法。
【請求項１７】
前記加撚済みの糸（Ｆ）が、前記加撚手段（１０）の内部で制動されることを特徴とする請求項１５または請求項１６に記載の精紡方法。
【請求項１８】
前記加撚済みの糸（Ｆ）が、多数の溝部分（３２）により捕捉されて再び解放されることを特徴とする請求項１５乃至請求項１７のいずれかに記載の精紡方法。
【発明の詳細な説明】
【技術分野】
【０００１】
本発明は、ステープルファイバー（staple  fibers）の束、すなわち、短繊維の束が、練条機で延伸された後に練条機の出口から導出される際に１本の糸に加撚されてリングトラベラーユニットにより巻き取られるリング精紡機において、練条機の出口から導出された繊維束が、スピンドルの上方に離間配置されて糸制動部材を有する加撚手段を備えた糸ガイドユニットを通過する際に、加撚手段がスピンドルと磁力を介して連結された状態でスピンドルと同じ回転数で駆動することにより繊維束に撚りを加えた加撚済みの糸が、加撚手段から離れるようにした、リング精紡機を用いた短繊維の精紡装置および精紡方法に関する。
【背景技術】
【０００２】
従来、リング精紡機において、糸が、練条機と糸ガイドとの間における精紡領域で破断することが知られている。
このような精紡領域において、練条機から導出されるスライバは、まだ、糸に対するいかなる応力集中にも耐えられる程度には強固ではない。
加えて、従来の糸ガイドつまり糸ガイド穴は、リングトラベラーから精紡領域への撚りの伝達を部分的にしか許容しないという問題があった。
【０００３】
そこで、前述した問題を解決するため、当業者は、何十年来に亘って数多くの提案をしてきており、例えば、リングスピンドル、すなわち、スピンドル上にクラウンを設けて、リング上を周回するトラベラーに由来する精紡三角領域方向への加撚をより効果的にするとともに、問題のある精紡領域において、練条機から導出されるスライバを強化することが提案されている（独国特許第１１６５８４号明細書）。
これらスピンドルヘッドピースにおいて、糸は、クラウンの鋸歯に係止されて、鋸歯により捕捉されて追従するものの、糸は、クラウンの箇所で、巻き取りと巻き取り速度とに応じてスピンドルの周速よりも遅れるリングトラベラーと同じ後退運動を行う必要があった。
糸は、張力が増大して糸が隣の鋸歯にジャンプするまで、クラウンの鋸歯に係止される。
したがって、糸は、トラベラーの遅れに応じて、鋸歯から鋸歯へと後方にジャンプする。
その際に生ずる摩擦が、糸の損傷と毛羽立ちとをもたらすという問題があった。
また、このようなジャンプは、張力に関する衝撃を生み出すために、練条機から導出される際の糸の不均一な撚りと不均一な一体化とを発生させるという問題があった。
そこで、できるだけ少数の鋸歯を設けることが考えられる。
具体的にはスピンドルに設置されるスピンドルヘッドピース、所謂、紡糸フィンガーの場合、１個の鋸歯しか設けられていない。
このような紡糸フィンガーは、平滑であるため、糸の毛羽立ちは、僅かである。
しかしながら、この紡糸フィンガーは、糸を捕捉して追従させる鋸歯を有するクラウンと同じように動作する。
これは、ジャンプが、遥かに大きく、いわば、ほぼ１回転に相当することを意味している。
それゆえ、このような紡糸フィンガー解決方式は、大きな糸に対する衝撃を生じ、糸切れと不均一な糸とを生み出すという問題があった。
【０００４】
また、独国特許第１９６２９７８７号明細書は、加撚手段として、スピンドルの上方の糸ガイドとリングトラベラーとの間で、スピンドルの直上に配置された回転式糸ガイドを開示しており、この場合、回転体は、磁気カップリングを介して、スピンドルにより連動される。
【０００５】
繊維束は、中心を通して、回転体から側方に引き出され、繊維束は、同所からバルーニング（balloon）して、すなわち、外側に膨らんで、リングトラベラーまで延びている。
代わりに、回転体は、螺旋状の通路を有し、スピンドルとは無関係に、スピンドルよりも遅いか、または、スピンドルよりも速く駆動される。
これにより、繊維束に加えられる仮撚りは、一時的に減少させられる。
【０００６】
しかしながら、発生した撚りは、上流側に設置された糸ガイドによって練条機の出口方向への撚りの伝達が妨げられる。
この従来の精紡装置も、所定の加撚が行われず、さらに、外部駆動装置も過度のコスト高をもたらすため、実際に導入されることはなかった。
【０００７】
さらに、前述した問題点を回避すべく、加撚手段つきの糸ガイドユニットをスピンドルの上方端と離間して配置し、加撚手段を磁力場を介してスピンドルと連結することが提案されている（国際公開第２００４／０７２３３９号パンフレット）。
この加撚手段は、糸ガイドユニットを通過する糸が巻回される、回転軸と同軸的に延びるコアと、このコアに配置された捕捉追従エッジ（縁部）とから構成される糸制動部材を有している。
糸ガイドユニットがこのように形成されていることにより、加撚手段による糸の所定の捕捉追従が行われる結果、糸ガイドユニットと練条機との間の問題のある加撚領域において、糸に所定の撚りが加えられる。
この場合、巻き取りは、連続的に、かつ、衝撃なくスムーズに行われる。
この糸ガイドユニットは、極めて優れていることが実証されている。
練条機と糸ガイドユニットとの間における問題のある加撚領域において、精紡三角前方の糸Ｆ’には、完成した糸の所期の撚りを基準にして、１００％以上の撚りが達成される。
クラウンの鋸歯等を経るジャンプは行われず、同じく、予測不能な摩擦による加撚も生じない。
これにより、ほぼ糸切れの発生しない精紡を実現している。
【０００８】
精紡回転数は、大幅に高めることが可能である。
精紡三角の縮小と、それにより生じる繊維一体化の改善とにより、生産性の向上と並行して、糸の品質の大幅な向上も達成される。
しかしながら、バルーニング制限リングが殆ど不要となるほどまでにバルーニング径は減少したが、可能となった精紡回転数の高まりがエネルギー需要の増加をもたらすという問題があった。
さらには、加撚手段を連動させるためのスピンドルヘッド上のカップリング手段により、バルーニングが膨張するとともにバルーニング抵抗が増加し、消費電力の増加が生じるという問題があった。
【先行技術文献】
【特許文献】
【０００９】
【特許文献１】独国特許第１１６５８４号明細書
【特許文献２】独国特許第１９６２９７８７号明細書
【特許文献３】国際公開第２００４／０７２３３９号パンフレット
【発明の概要】
【発明が解決しようとする課題】
【００１０】
本発明の目的は、前述した従来の糸ガイドユニットにおいて必要とされたエネルギー量を低減させるとともに、生産効率を向上させることである。
さらに具体的には、本発明の目的は、スピンドルの回転数を高めても練条機と糸ガイドユニットとの間で生じがちな糸切れとスピンドルヘッドピースの溝部分に起因する毛羽立ちを回避して糸の品質を損なうことなく高い生産性を達成するとともに、加撚手段から導出される糸をスピンドルヘッドピースで容易に補足してバルーニングを発生させずに空気抵抗を消失させてエネルギーを節減する精紡装置および精紡方法を提供することである。
【課題を解決するための手段】
【００１１】
そして、本発明の目的は、請求項１および請求項１５に記載の特徴を備えた精紡装置および精紡方法により達成される。
すなわち、練条機から導出される繊維束が、スピンドルの回転数に同期して駆動される加撚手段を備えた糸ガイドユニットを通過することにより、繊維束には、問題のある加撚領域において、練条機の出口方向に向かって撚りが加えられ、その結果、強固な加撚済みの糸が加撚手段から離れるため、して懸念される糸の毛羽立ちは生じない。
加撚手段の下流側に設置されたスピンドルヘッドピースにより、加撚済みの糸のバルーニングが抑止されるため、高いバルーニング張力は発生しない。
加撚済みの糸Ｆを妨げる空気抵抗は、消失する。
これにより、大幅なエネルギー節減を達成することができる。
【００１２】
加撚手段の内部における加撚済みの糸の制動により、スピンドルヘッドピースの溝部分に起因する衝撃が加撚領域に伝達されることが防止される。
この制動機構により、加撚済みの糸の張力を総じて低レベルに保ち、加撚手段により生み出された撚りを精紡三角に至るまで完全に有効に維持することができる。
スピンドルヘッドピースに起因する摩擦は、無視し得るほど低レベルであるために、スピンドルの回転数が非常に高められるにもかかわらず、卓越した加撚済みの糸の品質を実現することができる。
本発明の精紡方法により、２倍のスピンドルの速度で、糸切れおよび品質低下を生じさせることなく精紡を実現することができる。
【００１３】
スピンドルに取り付けられて加撚手段の下流側に配置されたスピンドルヘッドピースにより、加撚機能とバルーニング抑止機能とは、相互に切り離されている。
そして、加撚手段とスピンドルヘッドピースとの双方の要素は、いずれもそれぞれの役割に応じて形成されて、最適化されることが可能である。
加撚手段の下流側にスピンドルヘッドピースを設置することにより、糸ガイドユニットの加撚手段により達成された加撚済みの糸の品質を損なうことなく、大幅なエネルギー節減を達成するため、この組み合わせにより、加撚手段付き糸ガイドユニットの利点を発揮し、エネルギー節約と同時に高い生産性ならびに高い品質を達成することができる。
スピンドルにより加撚手段を連動させるために、スピンドルヘッドピースは、加撚手段に対して離間して配置された永久磁石を有する前端面を備え、永久磁石は、加撚手段に設置された反対極の磁石とともに、加撚手段を連動させるための磁力場を形成している。
スピンドルヘッドピース自体は、加撚手段から導出される加撚済みの糸を容易に捕捉できるように、スピンドルヘッドピースの前述した前端面まで延びる溝部分を設けた円筒状の外周面を有しているのが好ましい。
【００１４】
加撚済みの糸が加撚手段からスピンドルヘッドピースの前述した前側面に対して同心的に導出されることにより、加撚済みの糸の正確な捕捉追従を達成する精密な位置条件（geometric  condition）が保証されている。
スピンドルヘッドピースの直径は、このスピンドルヘッドピースに後続するスピンドルの直径に等しいことから、スピンドルヘッドピースにより捕捉されて追従する加撚済みの糸は、容易にスピンドルに巻き付き、バルーニングが生じない。
スピンドルヘッドピースとして、様々なタイプのものを採用することができる。
スピンドルヘッドピースの直径は、スピンドルの直径を溝部分の深さ分だけ上回るように設定されても良い。
また、前述した溝部分の溝底が、スピンドルの直径に移行して加撚済みの糸を保護するように設計するのも好ましい。
加撚機能とバルーニング抑止機能とを切り離すことにより、スピンドルヘッドピースの形成に際して、加撚済みの糸の保護的な捕捉追従にのみ注力すれば良いという利点が得られる。
【００１５】
糸フローの軌跡（geometry）が正確に定められることにより、前述した溝部分がスピンドルヘッドピースの外周面の全長に及ぶことは必ずしも必要ではない。
スピンドルヘッドピースの糸ガイドユニットに対向する端部側に、スピンドルヘッドピース３３のシャフト部分の直径を上回る溝部分付きのクラウンを設けることが好ましい。
これらの溝部分は、それらの配向および長さに関して、糸フローの軌跡（geometry）に適合されている。
前述した溝部分は、前述した前端面と外周面とにより形成されるクラウンの縁部と角度αで交差して、優れた捕捉追従を実現している。
【００１６】
大きなジャンプと、この大きなジャンプに起因した加撚済みの糸に対する衝撃とを回避すべく、前述した溝部分の数は極力多く設けるのが好ましい。
前述した溝部分の幅は、加撚済みの糸の直径の約２倍に設計するのが好ましい。
前述した溝部分の深さは、溝幅の約二分の一に設計するのが好ましい。
これにより、過大な糸張力と糸張力衝撃、すなわち、加撚済みの糸に対する糸張力に関する衝撃とを生じさせることなく、糸の容易な捕捉ならびに、隣接する溝部分内への糸の良好な解放が保証される。
こうして、糸の品質の毀損が防止される。
【００１７】
以下に、図面を用いて本発明を詳細に説明する。
【図面の簡単な説明】
【００１８】
【図１】加撚手段とこの加撚手段の下流側に設置されたスピンドルヘッドピースとを示す説明図。
【図２】スピンドルを用いた装置全体をスピンドルヘッドピースと加撚手段とともに示す説明図。
【図３】スピンドルヘッドピースの変形例を示す説明図。
【図４】スピンドルヘッドピースの更なる変形例を示す説明図。
【図５】スピンドルヘッドピースを用いた場合における消費電力とスピンドルヘッドピースを用いない場合における消費電力とを比較する説明図。
【図６】スピンドルヘッドピースの更なる変形例を示す説明図。
【発明を実施するための形態】
【００１９】
糸ガイド装置は、リングスピンドル３（すなわち、スピンドル３）の上方、すなわち、上流側に配置された糸ガイドユニット１を備え、この糸ガイドユニット１は、糸制動部材を含んだ加撚手段１０を有している。
そして、この糸制動部材は、回転軸と同軸的に延びるコア（糸制動部材）１３’を有する従動子（糸制動部材）１３からなり、コア１３’には、スピンドル３から練条機の出口まで達する、未完成である糸Ｆが巻回可能である。
コア１３’は、上側縁部分１５と下側縁部分１５’とを有し、糸ガイドユニット１を通過する加撚済みの糸Ｆは、これら上側縁部分１５と下側縁部分１５’に引っ掛けられて、加撚手段１０の回転時に捕捉されて追従する。
【００２０】
加撚手段１０のスピンドル３に対向する端部側は、磁石として形成され、永久磁石３１を有するスピンドル３のスピンドルヘッドピース３３と共に磁気カップリングを構成するため、加撚手段１０は、スピンドル３と同じ回転数で回転する。
スピンドルヘッドピース３３と加撚手段１０との間隔は、周知のように、スピンドル３と加撚手段１０との連動を保証するのに必要な磁界に基づいて決定されている。
一般に、前述した間隔は、約５ｍｍ乃至１０ｍｍで設定されている。
【００２１】
加撚手段１０を備える糸ガイドユニット１の下流側には、スピンドル３に取り付けられたスピンドルヘッドピース３３が配置されている。
スピンドルヘッドピース３３は、このスピンドルヘッドピース３３の前端面３４まで延びた溝部分３２を有する円筒状の外周面を備えているのが好ましい。
これら溝部分３２の形状は、如何なるものであっても良い。
加撚済みの糸Ｆが、捕捉されて追従する際に溝部分３２により保護されることが重要である。
図３および図４に示すように、スピンドルヘッドピース３３の直径は、後続するスピンドル３、すなわち、スピンドルヘッドピース３３を取り付けるスピンドル３のヘッドピース取り付け側端部の直径を溝部分３２の深さ分だけ上回っていても良い。
ただし、図１および図２に示すように、溝部分３２の溝底が、スピンドル３の直径に移行する、すなわち、スピンドル３の外周に一致するように移行する、または、図４に示すように、スピンドルヘッドピース３３の直径に移行する、すなわち、溝部分３２を設けていないスピンドルヘッドピース３３の外周に一致するように移行するのが好ましく、いずれの場合も加撚済みの糸Ｆを保護する。
【００２２】
糸ガイドユニット１は、スピンドルヘッドピース３３の前端面３４の上方に配置されて、加撚手段１０から導出される加撚済みの糸Ｆがスピンドルヘッドピース３３の前端面３４に対して同心的に導出される。
その結果、スピンドル３の回転から独立して、スピンドルヘッドピース３３の溝部分３２への移行時における加撚済みの糸Ｆの正確な幾何学的位置、すなわち、加撚済みの糸Ｆの軌跡（geometry）を得られる。
スピンドルヘッドピース３３の溝部分３２により、加撚済みの糸Ｆは、容易かつ確実に捕捉され、リングトラベラーユニットを構成するトラベラー６３の遅延により、加撚済みの糸Ｆの張力が増大して加撚済みの糸Ｆが溝部分３２から隣接する溝部分３２内にジャンプするまで連行、すなわち、捕捉されて追従する。
トラベラー６３の遅延に起因する引張りにより加撚済みの糸Ｆの張力が高められるため、バルーニング（balloon）が生ずることなく、加撚済みの糸Ｆは、螺旋状にスピンドルヘッドピース３３とスピンドル３とに巻回される。
【００２３】
糸Ｆが加撚済みの糸Ｆとして加撚手段１０から導出され、かつ、加撚手段１０がスピンドルヘッドピース３３の上方に配置されていることにより、加撚済みの糸のフローに対して正確な軌跡が定められるため、加撚済みの糸Ｆの不規則なジャンプまたは不規則な捕捉追従を回避することができる。
スピンドルヘッドピース３３の溝部分３２は、加撚済みの糸Ｆを捕捉して保持するため、極めて明瞭な形で、かつ、鋭い縁部を有するように形成されている必要は全くない。
それゆえ、加撚済みの糸は保護されて、毛羽立ちの発生が回避される。
スピンドルヘッドピース３３の溝部分３２の深さは、溝部分３２の幅の約半分に過ぎないように寸法を設計されているのが好ましい。
その結果、極めて僅かな引張りで、スピンドルヘッドピース３３の溝部分３２から糸Ｆを取り出すことができる。
張力衝撃は僅かであり、加撚済みの糸Ｆの摩擦も同様に僅かであることから、加撚済みの糸Ｆの品質が損なわれることを回避することができる。
大きなジャンプを回避するために、スピンドルヘッドピース３３の外周面に可能な限り多数の溝部分３２を配置するのが好ましい。
これにより、加撚済みの糸Ｆの長さの相違およびジャンプを減少させることができる。
【００２４】
図６は、変形例を示しており、この変形例では、スピンドルヘッドピース３３は、糸ガイドユニット１に対向する端部側に、スピンドルヘッドピース３３のシャフト部分の直径を上回るクラウン３６を有しており、このクラウン３６には、溝部分３５が設けられている。
これらクラウン３６の溝部分３５の配向および長さは、加撚済みの糸のフローの位置（geometry）に適合している。
これらクラウン３６の溝部分３５は、スピンドルヘッドピース３３の回転軸に対して斜めに形成され、前側面３４および外周面により形成されるクラウン３６の縁部と角度αで交差している。
この角度αは、糸ガイドユニット１の中央の出口と、糸Ｆが溝部分３５を有するクラウン３６の縁部に達する加撚済みの糸のフローとにより決定されている。
これら溝部分３５は、断面が方形であるが、縦断面が三角形を呈している。
クラウン３６の縁部を経てガイドされる加撚済みの糸Ｆは、この三角形の頂点により捕捉されて、保持される。
図６に示すＦ２は、加撚済みの糸Ｆが溝部分３５を通過する際における、加撚済みの糸Ｆのもう一つの位置を示している。
溝部分３５が前述したように形成されていることにより、加撚済みの糸Ｆの規則的な捕捉と解放とが制御されるため、糸は規則的に加撚され、摩耗は殆ど生じない。
糸Ｆは、溝部分３５を通過し、スピンドルヘッドピース３３のシャフト部分を経て、スプール４上に達し、このスプール４でバルーニング（balloon）を生じないようにして下方、すなわち、下流側に配置されたリングトラベラーユニットに誘導される。
【００２５】
練条機から導出される繊維束Ｆ’は、従来の糸ガイド（デリベリー）に代えて、本発明では、スピンドルの回転数に同期して駆動されて繊維束Ｆ’に撚りを加える加撚手段１０を有した糸ガイドユニット１を通過する。
磁気カップリングにより、スピンドル３と加撚手段１０との連動が行われる結果、加撚済みの糸Ｆが加撚手段１０から離れることになる。
この加撚済みの糸Ｆは、加撚手段１０から導出された直後に、溝部分３２、３５を有するスピンドルヘッドピース３３を経てガイドされる。
加撚済みの糸Ｆは、溝部分３２、３５により捕捉され、スピンドル３により、トラベラー６３に対してスピンドルの回転により連行、すなわち、捕捉されて追従する。
トラベラー６３が遅延するため、加撚済みの糸Ｆの張力の高まりによりバルーニングの形成が防止されて、加撚済みの糸Ｆは、リングトラベラーユニットに達する前に、スピンドルヘッドピース３３とスプール４に巻回されて巻き取られるという公知の効果が生ずる。
さらに、加撚手段１０は、糸制動部材を有している。
この糸制動部材により張力衝撃が緩和、相殺されるため、この衝撃が、練条機の出口と加撚手段との間の精紡領域に作用を及ぼすことがない。
加えられた撚りは、支障なく完全に練条機の出口まで伝えられる。
加撚手段１０の下流側には、溝部分３２、３５を有するスピンドルヘッドピース３３が設置されている。
バルーニングの抑止は、加撚プロセスとは無関係に行われる。
【００２６】
加撚手段１０は、専ら加撚を目的としており、他方、スピンドルヘッドピース３３は、加撚済みの糸を捕捉する溝部分３２、３５による連行、すなわち、捕捉追従に対してほぼ不感な加撚済みの糸Ｆを捕捉する。
スピンドルヘッドピース３３と溝部分３２、３５とは、専らバルーニング抑止を目的として構成され、加撚手段１０に設けられた糸制動部材は、溝部分３２、３５の一方の溝部分から他方の溝部分へのジャンプにより生ずる衝撃をほぼ完全に相殺する。
【００２７】
加撚プロセスは、支障なく連続的に行われ、専ら、練条機の出口と加撚手段との間の領域で行われる。
この場合、加撚手段１０内部での加撚済みの糸Ｆの制動は、決定的な役割を果たす。
この糸制動部材により、加撚済みの糸の張力を調節して、総じて低レベルに保つことができる。
したがって、スピンドルヘッドピース３３の溝部分３２、３５に起因する加撚済みの糸Ｆの摩擦応力は、低レベルで維持される。
そして、加撚済みの糸の品質が、損なわれることを回避できる。
また、巻回角度の変化により制動作用を調節することができる。
制動の観点で、半回式巻回または１回式巻回は、バルーニングの抑止と同時に加撚済みの糸Ｆの応力にとって最適であることが判明している。
その他部分の詳細は、同発明者による出願（国際公開第２００４／０７２３３９号パンフレットに記載されている。
【００２８】
加撚済みの糸Ｆが加撚手段１０から導出されるため、加撚済みの糸は、前述した摩擦応力に対して、ほぼ不感である。
調査によれば、完成した加撚済みの糸の撚りを約９３％しか達成することのできない従来の糸ガイドと比較して、本発明で用いられる加撚手段１０によれば、１００％以上の撚りが精紡三角（spinning  triangle）の領域で達成されることが判明している。
加撚手段１０を設けることなくスピンドルヘッドピース３３を使用する場合には、スピンドル３のシャフト部分ならびにスピンドルヘッドピース３３での摩擦により撚りの停滞が生じ、８５％の撚りが精紡三角の領域で得られるにすぎない。
このことが、従来、特に短ステープルファイバー、すなわち、短繊維の精紡に際して、重大な糸の品質低下をもたらすと同時に、頻繁な糸切れを招来していた。
【００２９】
一方、本発明のように、加撚手段１０に加えて更に溝部分３２を有するスピンドルヘッドピース３３を用いて精紡を行う場合、大幅な品質改善と、糸切れが殆ど生じることのない精紡と大幅な回転数の増加を達成でき、しかも、その際、回転数の増加にもかかわらず、スピンドルヘッドピースを用いることのない精紡と比較して、必要とされるエネルギー量を低減してエネルギー効率を大幅に向上できる。
例えば、図５は、（ａ）糸制動式の加撚手段を用いるとともにバルーニング制限リングを用いない場合と、（ｂ）糸制動式の加撚手段とこの加撚手段の下流側に設置されたスピンドルヘッドピース３３（糸バルーニング抑止）とを用いた場合における、Ｎｍ４０番手糸の紡出時の消費電力の比較を示している。
【００３０】
図５に示すグラフから明らかなように、本発明のような糸制動式の加撚手段とこの加撚手段の下流側にスピンドルヘッドピース３３とを用いた場合は、２６０００回転の回転数が達成可能である一方で、従来のようにスピンドルヘッドピース３３を用いない場合、精紡は不可能である。
図５に示すように、１８０００回転の場合、スピンドルヘッドピース３３による精紡時のスピンドル３の消費電力は、スピンドルヘッドピース３３を用いない精紡時の消費電力よりも１６％減少し、また、２４０００回転の場合、両者の差は、３８％に達する。
つまり、本発明のような糸制動式の加撚手段とこの加撚手段の下流側にスピンドルヘッドピース３３とを用いた場合における精紡時の消費電力は、スピンドルヘッドピース３３を用いない場合における精紡時の消費電力と比較して、回転数が増大するにつれて大幅に低下する。
特に、スピンドル３の回転数が高い場合、本発明のような糸制動式の加撚手段とこの加撚手段の下流側に設置されたスピンドルヘッドピース３３の使用は、エネルギー効率に関して特に有利な効果を奏する。
つまり、スピンドル３の回転数がほぼ倍増した際にも、必要とされるエネルギー量は３８％しか増加しない。
しかも、この場合、加撚済みの糸の品質は低下することなく、精紡はほぼ糸切れなしで行うことができる。
生産効率の向上と同時に大幅なエネルギー節減を達成することができ、さらに、バルーニング抑止による短繊維の精紡が加撚済みの糸の品質を損なうことなく可能になる。
【符号の説明】
【００３０】
１  ・・・  糸ガイドユニット
３  ・・・  スピンドル
４  ・・・  スプール
１０  ・・・  加撚手段
１３  ・・・  従動子（糸制動部材）
１３’・・・  コア（糸制動部材）
１５  ・・・  上側縁部分
１５’・・・  下側縁部分
３１  ・・・  永久磁石
３２  ・・・  溝部分
３３  ・・・  スピンドルヘッドピース
３４  ・・・  スピンドルヘッドピース３３の前端面
３５  ・・・  溝部分
３６  ・・・  クラウン
６３  ・・・  トラベラー
Ｆ  ・・・  加撚済みの糸
Ｆ’・・・  練条機から導出される繊維束
【図１】
0005249953.tif 000002
【図２】
0005249953.tif 000003
【図３】
0005249953.tif 000004
【図４】
0005249953.tif 000005
【図５】
0005249953.tif 000006
【図６】
0005249953.tif 000007